(57)【要約】【課題】動きベクトルを誤検出したときの視覚的な違和感をさらに効果的に軽減する。【解決手段】動きベクトル減衰部３１は減衰動きベクトルＭＶａを生成し、動きベクトルＭＶの減衰の度合を示す減衰度合信号Ｒｄを生成する。現在フレーム画素抽出部３２は、減衰動きベクトルＭＶａに基づいてフレームｆ０内の第１の動き補間用画素Ｐ０ｍを抽出し、フレームｆ０内の第１の静止補間用画素Ｐ０ｓを抽出する。前フレーム画素抽出部３３は、減衰動きベクトルＭＶａに基づいてフレームｆ１内の第２の動き補間用画素Ｐ１ｍを抽出し、フレームｆ１内の第２の静止補間用画素Ｐ１ｓを抽出する。動き画素差分算出部３４は動き画素差分値Ｄｍを生成する。補間画素生成部３５は、動き補間の補間画素と静止補間の補間画素とを適応的に混合して各補間画素Ｐ０．５ｉを生成する。【選択図】図３
2019161275.tif 000002
【特許請求の範囲】
【請求項１】
映像信号における時間方向に隣接する第１のフレームと第２のフレームとの間に内挿する補間フレーム内の各補間画素を生成するために検出した動きベクトルを、前記動きベクトルの大きさに応じて減衰して減衰動きベクトルを生成し、前記動きベクトルの減衰の度合を示す減衰度合信号を生成する動きベクトル減衰部と、
前記各補間画素を動き補間するために前記減衰動きベクトルに基づいて前記第１のフレーム内の第１の動き補間用画素を抽出し、前記各補間画素を静止補間するために前記第１のフレーム内の前記各補間画素と同じ画素位置の第１の静止補間用画素を抽出する第１の画素抽出部と、
前記各補間画素を動き補間するために前記減衰動きベクトルに基づいて前記第２のフレーム内の第２の動き補間用画素を抽出し、前記各補間画素を静止補間するために前記第２のフレーム内の前記各補間画素と同じ画素位置の第２の静止補間用画素を抽出する第２の画素抽出部と、
前記第１の動き補間用画素と前記第２の動き補間用画素との差分値を算出して動き画素差分値を生成する動き画素差分算出部と、
前記第１の動き補間用画素と前記第２の動き補間用画素とを用いて生成する動き補間の補間画素と、前記第１の静止補間用画素と前記第２の静止補間用画素とを用いて生成する静止補間の補間画素とを適応的に混合して、前記各補間画素を生成する補間画素生成部と、
を備え、
前記補間画素生成部は、前記減衰度合信号に基づいて前記動きベクトルの減衰の度合が大きいほど前記静止補間の補間画素の割合を減らし、前記動き画素差分値が大きいほど前記静止補間の補間画素の割合を増やす
ことを特徴とする補間フレーム生成装置。
【請求項２】
前記減衰度合信号を、前記動きベクトルの大きさと前記減衰動きベクトルの大きさとの差異を示す値とし、
前記減衰度合信号に第１の係数を乗じて得られる０以上１以下の値を第１の値とし、
前記動き画素差分値に第２の係数を乗じて得られる０以上１以下の値を第２の値とし、
前記第１の値が前記第２の値未満であれば、前記第２の値から前記第１の値を減算した値を前記静止補間の補間画素の混合比率αとし、
前記第１の値が前記第２の値以上であれば前記混合比率αを０とし、
前記補間画素生成部は、前記混合比率αに基づいて、前記動き補間の補間画素と前記静止補間の補間画素とを混合して前記各補間画素を生成する
ことを特徴とする請求項１に記載の補間フレーム生成装置。
【請求項３】
前記第１の動き補間用画素をＰ０ｍ、前記第２の動き補間用画素をＰ１ｍ、前記第１の静止補間用画素をＰ０ｓ、前記第２の静止補間用画素をＰ１ｓとし、前記各補間画素をＰｉとし、
前記第１のフレームと前記第２のフレームとの距離を１として前記第１のフレームから前記補間フレームまでの距離をβとしたとき、
前記補間画素生成部は、次の式に基づいて、前記各補間画素Ｐｉを生成する
Ｐｉ＝（１−β）×｛（１−α）×Ｐ０ｍ＋α×Ｐ０ｓ｝＋β×｛（１−α）×Ｐ１ｍ＋α×Ｐ１ｓ｝
ことを特徴とする請求項２に記載の補間フレーム生成装置。
【発明の詳細な説明】
【技術分野】
【０００１】
本発明は、一対の実フレーム間に内挿する補間フレームを生成する補間フレーム生成装置に関する。
【背景技術】
【０００２】
映像信号のフレームレートを変換するフレームレート変換装置は、一対の実フレーム間に内挿する補間フレームを生成する補間フレーム生成装置を備える。フレームレート変換装置は、画像の動きを検出する動きベクトル検出装置を備え、補間フレーム生成装置は動きベクトルに基づいて補間フレームを構成する各画素位置の補間画素を生成する。
【先行技術文献】
【特許文献】
【０００３】
【特許文献１】特開２００８−１３５９８０号公報
【特許文献２】特開２０１１−２３９３２５号公報
【発明の概要】
【発明が解決しようとする課題】
【０００４】
動きベクトル検出装置が動きベクトルを誤検出すると、補間画素の誤補間が発生し、補間フレームに視覚的な違和感が生じる。特許文献１には、確からしくない動きベクトルに基づいて補間画素を生成しないように、動きベクトルを０にすることが記載されている。特許文献２には、動きベクトルの大きさが閾値を超えたときに動きベクトルの大きさを減衰させて、視覚的な違和感を軽減することが記載されている。
【０００５】
動きベクトルを誤検出したときの視覚的な違和感をさらに効果的に軽減することができる補間フレーム生成装置が求められる。
【課題を解決するための手段】
【０００６】
本発明は、映像信号における時間方向に隣接する第１のフレームと第２のフレームとの間に内挿する補間フレーム内の各補間画素を生成するために検出した動きベクトルを、前記動きベクトルの大きさに応じて減衰して減衰動きベクトルを生成し、前記動きベクトルの減衰の度合を示す減衰度合信号を生成する動きベクトル減衰部と、前記各補間画素を動き補間するために前記減衰動きベクトルに基づいて前記第１のフレーム内の第１の動き補間用画素を抽出し、前記各補間画素を静止補間するために前記第１のフレーム内の前記各補間画素と同じ画素位置の第１の静止補間用画素を抽出する第１の画素抽出部と、前記各補間画素を動き補間するために前記減衰動きベクトルに基づいて前記第２のフレーム内の第２の動き補間用画素を抽出し、前記各補間画素を静止補間するために前記第２のフレーム内の前記各補間画素と同じ画素位置の第２の静止補間用画素を抽出する第２の画素抽出部と、前記第１の動き補間用画素と前記第２の動き補間用画素との差分値を算出して動き画素差分値を生成する動き画素差分算出部と、前記第１の動き補間用画素と前記第２の動き補間用画素とを用いて生成する動き補間の補間画素と、前記第１の静止補間用画素と前記第２の静止補間用画素とを用いて生成する静止補間の補間画素とを適応的に混合して、前記各補間画素を生成する補間画素生成部とを備え、前記補間画素生成部は、前記減衰度合信号に基づいて前記動きベクトルの減衰の度合が大きいほど前記静止補間の補間画素の割合を減らし、前記動き画素差分値が大きいほど前記静止補間の補間画素の割合を増やすことを特徴とする補間フレーム生成装置を提供する。
【発明の効果】
【０００７】
本発明の補間フレーム生成装置によれば、動きベクトルを誤検出したときの視覚的な違和感をさらに効果的に軽減することができる。
【図面の簡単な説明】
【０００８】
【図１】一実施形態の補間フレーム生成装置を備えるフレームレート変換装置の概略的な構成を示すブロック図である。
【図２】動きベクトルに基づく動き補間と静止ベクトルに基づく静止補間とを示す図である。
【図３】一実施形態の補間フレーム生成装置の具体的な構成を示すブロック図である。
【図４】図３における動きベクトル減衰部による動きベクトルの減衰のさせ方の一例を示す図である。
【図５】一実施形態の補間フレーム生成装置の動作、及び、一実施形態の補間フレーム生成装置で実行される補間フレーム生成方法を示すフローチャートである。
【発明を実施するための形態】
【０００９】
以下、一実施形態の補間フレーム生成装置について、添付図面を参照して説明する。まず、図１を用いて、動きベクトル検出部及び補間フレーム内挿部を備えるフレームレート変換装置の概略的な構成及び動作を説明する。補間フレーム内挿部が備える補間フレーム生成部は、一実施形態の補間フレーム生成装置に相当する。
【００１０】
図１において、動きベクトル検出部１及びフレームメモリ２には、入力映像信号Ｓｉｎの各フレームｆ０（第１のフレーム）を構成する画素が順に入力される。入力映像信号Ｓｉｎのフレームレート（フレーム周波数）は、例えば６０Ｈｚである。フレームｆ０は現在フレームである。フレームメモリ２は、フレームｆ０の全画素を記憶する。
【００１１】
フレームメモリ２は、フレームｆ０を１フレーム期間遅延させて、フレームｆ０に対して１フレーム前のフレームｆ１（第２のフレーム）を動きベクトル検出部１に供給する。動きベクトル検出部１に供給されるフレームｆ１のフレームレートは６０Ｈｚである。フレームメモリ２は、フレームレート変換メモリとして機能する。フレームメモリ２は、フレームｆ１をフレームレート１２０Ｈｚで読み出して、補間フレーム内挿部３に供給する。
【００１２】
動きベクトル検出部１に供給されるフレームｆ１と、補間フレーム内挿部３に供給されるフレームｆ１とはフレームレートが異なるが、両者は同じフレームの信号であるため、双方をフレームｆ１と称する。
【００１３】
フレームｆ０は、動きベクトル検出部１が後述する動きベクトルＭＶを検出するのに要する時間に相当する数十ライン程度だけフレームメモリ２によって遅延され、フレームレート１２０Ｈｚに変換されて、補間フレーム内挿部３に供給される。
【００１４】
フレームメモリ２に入力されるフレームｆ０と補間フレーム内挿部３に供給されるフレームｆ０とは、数十ライン程度の時間だけずれており、フレームレートが異なるが、両者は同じフレームの信号であるため、双方をフレームｆ０と称する。
【００１５】
動きベクトル検出部１は、フレームｆ０内の複数の画素よりなるブロックとフレームｆ１内の複数の画素よりなるブロックとの差分値を算出し、差分値の小さい方向に基づき、動きベクトルＭＶを検出する。
【００１６】
なお、複数の画素よりなるブロック間の差分値の算出方法は種々の公知技術を用いればよい。例えば、フレームｆ０内の画素とフレームｆ１内の画素との差分値を算出し、その差分値の絶対値を算出し、ブロックごとにその差分値の総和を求めることでブロック間の差分値を算出してもよい。
【００１７】
動きベクトルＭＶはフレームメモリ２に一旦書き込まれ、フレームレート１２０Ｈｚのフレームに対応するようにレートが変換されて、補間フレーム内挿部３に供給される。動きベクトル検出部１より出力される動きベクトルＭＶと、補間フレーム内挿部３に供給される動きベクトルＭＶとはレートが異なるが、両者は同じ動きベクトルであるため、双方を動きベクトルＭＶと称する。
【００１８】
補間フレーム内挿部３は補間フレーム生成部３０を備える。図２に示すように、補間フレーム生成部３０は、動きベクトルＭＶに基づいてフレームｆ０及びｆ１より選択した一対の画素Ｐ０ｍ及びＰ１ｍを用いて補間画素Ｐ０．５ｉを生成する。
【００１９】
図２に示すように、補間フレーム生成部３０は、動きベクトル検出部１が検出した動きベクトルＭＶそのものではなく、動きベクトルＭＶの大きさを減衰させた減衰動きベクトルＭＶａに基づいてフレームｆ０及びｆ１より選択した一対の画素Ｐ０ｍａ及びＰ１ｍａを用いて補間画素Ｐ０．５ｉを生成することがある。また、補間フレーム生成部３０は、生成しようとする補間画素Ｐ０．５ｉと同じ画素位置のフレームｆ０及びｆ１における画素Ｐ０ｓ及びＰ１ｓを用いて補間画素を生成し、減衰動きベクトルＭＶａに基づいて生成した補間画素と混合することがある。
【００２０】
図３を用いて、補間フレーム生成部３０の具体的な構成例を説明する。図３に示すように、補間フレーム生成部３０は、動きベクトル減衰部３１、現在フレーム画素抽出部３２（第１の画素抽出部）、前フレーム画素抽出部３３（第２の画素抽出部）、動き画素差分算出部３４、補間画素生成部３５を備える。
【００２１】
動きベクトル減衰部３１は、動きベクトルＭＶの大きさに応じて動きベクトルＭＶを減衰し、減衰動きベクトルＭＶａを生成する。図４に示すように、一例として、動きベクトル減衰部３１は、動きベクトルＭＶの大きさがＶ１までは動きベクトルＭＶを減衰せず、動きベクトルＭＶの大きさがＶ１からＶ２までは所定の減衰率で動きベクトルＭＶを減衰する。動きベクトル減衰部３１は、動きベクトルＭＶの大きさがＶ２を超えると、一定値の減衰動きベクトルＭＶａとする。
【００２２】
動きベクトル減衰部３１は、動きベクトルＭＶの水平成分と垂直成分とを同じ減衰率で減衰させるのがよいが、水平成分の減衰率と垂直成分の減衰率とを異ならせてもよい。
【００２３】
このように、動きベクトル減衰部３１は動きベクトルＭＶの大きさがＶ１までは動きベクトルＭＶを減衰しないが、動きベクトル減衰部３１より出力される動きベクトルＭＶを減衰動きベクトルＭＶａと称することとする。減衰動きベクトルＭＶａは、現在フレーム画素抽出部３２及び前フレーム画素抽出部３３に供給される。
【００２４】
また、動きベクトル減衰部３１は、動きベクトルＭＶの減衰の度合を示す減衰度合信号Ｒｄを生成して、補間画素生成部３５に供給する。減衰度合信号Ｒｄは、動きベクトルＭＶの大きさと減衰動きベクトルＭＶａの大きさとの差異を示す値である。減衰度合信号Ｒｄは、動きベクトルＭＶから減衰動きベクトルＭＶａを減算した差分値を示す信号であってもよいし、動きベクトルＭＶを減衰する減衰率を示す信号であってもよい。ここでは、減衰度合信号Ｒｄは減衰率を示す信号であり、０以上１以下の値であるとする。
【００２５】
現在フレーム画素抽出部３２には、フレームｆ０内の画素が供給される。現在フレーム画素抽出部３２は、補間フレームｆ０．５内の各画素位置の補間画素Ｐ０．５ｉを生成するために、減衰動きベクトルＭＶａに基づいて、フレームｆ０内の画素Ｐ０ｍ（第１の動き補間用画素）を抽出する。図２では減衰していない動きベクトルＭＶに基づいて抽出した画素をＰ０ｍ、減衰動きベクトルＭＶａに基づいて抽出した画素をＰ０ｍａとしているが、図３及び図５では減衰動きベクトルＭＶａ（減衰されていない減衰動きベクトルを含む）に基づいて抽出されるフレームｆ０内の画素を画素Ｐ０ｍと称することとする。
【００２６】
また、現在フレーム画素抽出部３２は、補間フレームｆ０．５内の各画素位置の補間画素Ｐ０．５ｉを生成するために、静止ベクトルに基づいて、補間画素Ｐ０．５ｉと同じ画素位置である画素Ｐ０ｓ（第１の静止補間用画素）を抽出する。
【００２７】
前フレーム画素抽出部３３には、フレームｆ１内の画素が供給される。前フレーム画素抽出部３３は、補間フレームｆ０．５内の各画素位置の補間画素Ｐ０．５ｉを生成するために、減衰動きベクトルＭＶａに基づいて、フレームｆ１内の画素Ｐ１ｍ（第２の動き補間用画素）を抽出する。同様に、図３及び図５では減衰動きベクトルＭＶａ（減衰されていない減衰動きベクトルを含む）に基づいて抽出されるフレームｆ１内の画素を画素Ｐ１ｍと称することとする。
【００２８】
また、前フレーム画素抽出部３３は、補間フレームｆ０．５内の各画素位置の補間画素Ｐ０．５ｉを生成するために、静止ベクトルに基づいて、補間画素Ｐ０．５ｉと同じ画素位置である画素Ｐ１ｓ（第２の静止補間用画素）を抽出する。
【００２９】
現在フレーム画素抽出部３２及び前フレーム画素抽出部３３がそれぞれ抽出した画素Ｐ０ｍと画素Ｐ０ｓ及び画素Ｐ１ｍと画素Ｐ１ｓは、補間画素生成部３５に供給される。また、現在フレーム画素抽出部３２及び前フレーム画素抽出部３３がそれぞれ抽出した画素Ｐ０ｍ及び画素Ｐ１ｍは、動き画素差分算出部３４に供給される。
【００３０】
動き画素差分算出部３４は、画素Ｐ０ｍと画素Ｐ１ｍとの差分値を算出して動き画素差分値Ｄｍを生成し、補間画素生成部３５に供給する。
【００３１】
補間画素生成部３５は、画素Ｐ０ｍと画素Ｐ１ｍとを用いた動き補間の補間画素と、画素Ｐ０ｓと画素Ｐ１ｓとを用いた静止補間の補間画素とを、減衰度合信号Ｒｄ及び動き画素差分値Ｄｍに応じて適応的に混合して、各画素位置の補間画素Ｐ０．５ｉ（即ち、補間フレームｆ０．５）を生成する。動きベクトルＭＶが検出されているにもかかわらず、動き補間の補間画素に静止補間の補間画素を混合させる処理をフォールバック処理と称する。
【００３２】
具体的には、補間画素生成部３５は、減衰度合信号Ｒｄに基づき動きベクトルＭＶの減衰の度合が大きいほど静止補間の補間画素の割合を減らし、動き画素差分値Ｄｍが大きいほど静止補間の補間画素の割合を増やす。
【００３３】
さらに具体的には、フレームｆ０とフレームｆ１との間に１枚の補間フレームｆ０．５を内挿してフレームレートを２倍にするフレームレート変換装置においては、補間画素生成部３５は、式（１）に示す静止補間の補間画素の混合比率αを用い、式（２）に基づいて補間画素Ｐ０．５ｉを生成することができる。式（１）においては、入力映像信号Ｓｉｎを８ビットとし、動き画素差分値Ｄｍに入力映像信号Ｓｉｎのビット数で決まる階調数２５６の逆数を乗算した値から減衰度合信号Ｒｄを減算することによって混合比率αを生成している。なお、式（１）によって混合比率αが０より小さくなる場合には、混合比率αを０とする。
【００３４】
α＝（１／２５６）×Ｄｍ−Ｒｄ    …（１）
Ｐ０．５ｉ＝０．５×｛（１−α）×Ｐ０ｍ＋α×Ｐ０ｓ｝＋０．５×｛（１−α）×Ｐ１ｍ＋α×Ｐ１ｓ｝    …（２）
【００３５】
フレームｆ０とフレームｆ１との間に３枚の補間フレームを内挿してフレームレートを４倍にするフレームレート変換装置においては、式（３）に基づいて補間画素Ｐｉを生成することができる。フレームｆ０とフレームｆ１との距離を１とし、フレームｆ０から補間フレームまでの距離をβとする。
【００３６】
Ｐｉ＝（１−β）×｛（１−α）×Ｐ０ｍ＋α×Ｐ０ｓ｝＋β×｛（１−α）×Ｐ１ｍ＋α×Ｐ１ｓ｝    …（３）
【００３７】
式（２）または式（３）は、動き補間の補間画素と静止補間の補間画素とを減衰度合信号Ｒｄ及び動き画素差分値Ｄｍに応じて適応的に混合して補間画素Ｐ０．５ｉまたは補間画素Ｐｉを生成する計算式の単なる一例である。補間画素生成部３５が、動きベクトルＭＶの減衰の度合が大きいほど静止補間の補間画素の割合を減らし、動き画素差分値Ｄｍが大きいほど静止補間の補間画素の割合を増やして補間画素を生成する計算式は式（２）または式（３）に限定されるものではない。
【００３８】
他の方法として、式（４）に示すように、減衰度合信号Ｒｄに第１の係数ｋ１を乗じて得られる０以上１以下の値を第１の値とし、動き画素差分値Ｄｍに第２の係数ｋ２を乗じて得られる０以上１以下の値を第２の値とし、第２の値から第１の値を減算した値を混合比率αとしてもよい。式（５）に示すように、第２の係数ｋ２は、第３の係数ｋ３に入力映像信号Ｓｉｎのビット数（８ビット）で決まる階調数（２５６）の逆数を乗算した値である。
【００３９】
式（４）に基づき、第１の値が第２の値未満であれば、第２の値から第１の値を減算した値が混合比率αとされる。第１の値が第２の値以上であれば、混合比率αを０とする。
【００４０】
α＝ｋ２×Ｄｍ−ｋ１×Ｒｄ    …（４）
ｋ２＝（１／２５６）×ｋ３    …（５）
【００４１】
さらに他の方法として、減衰度合信号Ｒｄを動きベクトルＭＶから減衰動きベクトルＭＶａを減算した差分値とし、式（６）に基づいて混合比率αを生成してもよい。式（６）においては、動き画素差分値Ｄｍ及び減衰度合信号Ｒｄに入力映像信号Ｓｉｎのビット数（８ビット）で決まる階調数（２５６）の逆数を乗算した２つの値の差分を求めることによって、混合比率αが生成される。なお、式（６）によって混合比率αが０より小さくなる場合には、混合比率αを０とする。
【００４２】
α＝（１／２５６）×Ｄｍ−（１／２５６）×Ｒｄ    …（６）
【００４３】
このように、動きベクトルＭＶの減衰の度合が大きいほど静止補間の補間画素の割合を減らすことにより、過剰なフォールバック処理とならないようにすることができる。動き画素差分値Ｄｍが大きいということは動きベクトルＭＶ（減衰動きベクトルＭＶａ）の信頼度が高くないということである。動き画素差分値Ｄｍが大きいほど静止補間の補間画素の割合を増やすことにより、動きベクトルＭＶを誤検出したときの視覚的な違和感を軽減することができる。
【００４４】
図１に戻り、補間フレーム内挿部３は、時間方向に隣接する２つの実フレームであるフレームｆ０とフレームｆ１との間に補間フレームｆ０．５を内挿して、フレームレート１２０Ｈｚを有する出力映像信号Ｓｏｕｔを生成する。
【００４５】
図５に示すフローチャートを用いて、動きベクトル検出部１及び補間フレーム生成部３０の動作を改めて説明する。図５は、本実施形態の補間フレーム生成装置の動作、及び、補間フレーム生成装置で実行される補間フレーム生成方法による処理を示す。
【００４６】
図５において、動きベクトル検出部１に入力映像信号Ｓｉｎが供給されて処理が開始されると、動きベクトル検出部１は、ステップＳ１にて、フレームｆ０とフレームｆ１との間に内挿する補間フレームｆ０．５を生成しようとするとき、フレームｆ０及びｆ１の画素に基づいて動きベクトルＭＶを検出する。
【００４７】
補間フレーム生成部３０の動きベクトル減衰部３１は、ステップＳ２にて、動きベクトルＭＶを減衰させて、減衰動きベクトルＭＶａと減衰度合信号Ｒｄを生成する。補間フレーム生成部３０の現在フレーム画素抽出部３２及び前フレーム画素抽出部３３は、ステップＳ３にて、減衰動きベクトルＭＶａに基づいて、フレームｆ０及びｆ１より動き補間の補間画素を生成するための画素Ｐ０ｍ及びＰ１ｍを抽出する。
【００４８】
現在フレーム画素抽出部３２及び前フレーム画素抽出部３３は、ステップＳ４にて、フレームｆ０及びｆ１より静止補間の補間画素を生成するための画素Ｐ０ｓ及びＰ１ｓを抽出する。補間フレーム生成部３０の動き画素差分算出部３４は、ステップＳ５にて、画素Ｐ０ｍと画素Ｐ１ｍとの差分値を算出して動き画素差分値Ｄｍを生成する。
【００４９】
補間フレーム生成部３０の補間画素生成部３５は、ステップＳ６にて、減衰度合信号Ｒｄ及び動き画素差分値Ｄｍに応じて、動き補間の補間画素と静止補間の補間画素とを適応的に混合して補間画素Ｐ０．５ｉを生成する。
【００５０】
補間フレーム生成部３０は、ステップＳ７にて、補間フレームｆ０．５内の全ての補間画素Ｐ０．５ｉを生成したか否かを判定する。全ての補間画素Ｐ０．５ｉを生成していなければ（NO）、動きベクトル検出部１及び補間フレーム生成部３０はステップＳ１〜Ｓ７の処理を繰り返す。
【００５１】
ステップＳ７にて全ての補間画素Ｐ０．５ｉを生成していれば（YES）、補間フレーム生成部３０は、ステップＳ８にて、入力映像信号Ｓｉｎが継続的に入力されたか否かを判定する。入力映像信号Ｓｉｎが継続的に入力されていれば（YES）、動きベクトル検出部１及び補間フレーム生成部３０はステップＳ１〜Ｓ８の処理を繰り返す。入力映像信号Ｓｉｎが継続的に入力されなければ（NO）、動きベクトル検出部１及び補間フレーム生成部３０は処理を終了させる。
【００５２】
以上のようにして、本実施形態の補間フレーム生成装置によれば、動きベクトルＭＶを誤検出したときの視覚的な違和感をさらに効果的に軽減することができる。本実施形態の補間フレーム生成装置を備えるフレームレート変換装置は、視覚的な違和感の少ない
補間フレームを用いて映像信号のフレームレートを変換することができる。
【００５３】
図１に示すフレームレート変換装置（または図３に示す補間フレーム生成部３０）をハードウェア（回路）で構成してもよいし、フレームレート変換装置（または補間フレーム生成部３０）と同等の機能をソフトウェア（コンピュータプログラム）によって実現してもよい。
【００５４】
即ち、コンピュータプログラム（フレームレート変換プログラムまたは補間フレーム生成プログラム）が、コンピュータに図５に示す処理を実行させることができる。コンピュータプログラムは、非一時的な記憶媒体に記憶されていてもよいし、インターネット等の通信回線でコンピュータへと送信されてもよい。
【００５５】
本発明は以上説明した本実施形態に限定されるものではなく、本発明の要旨を逸脱しない範囲において種々変更可能である。
【符号の説明】
【００５６】
１  動きベクトル検出部
２  フレームメモリ
３  補間フレーム内挿部
３０  補間フレーム生成部（補間フレーム生成装置）
３１  動きベクトル減衰部
３２  現在フレーム画素抽出部
３３  前フレーム画素抽出部
３４  動き画素差分算出部
３５  補間画素生成部
【図１】
2019161275.tif 000003
【図２】
2019161275.tif 000004
【図３】
2019161275.tif 000005
【図４】
2019161275.tif 000006
【図５】
2019161275.tif 000007